(57)【要約】      （修正有）【課題】  ディスク収納ケースにおいて、強度及び美観性を損なうことなく、充分なサイドインデックス面を確保したディスク収納ケースを提供する。【解決手段】  ディスク収納ケース１は、ケース半体３０が、ディスクトレイ１０に対向する板状本体３１と板状本体３１に連設された側壁３３とを有し、板状本体３１に対向する主インデックス４２ａと側壁３３に対向する副インデックス４２ｂとからなる折曲状のインデックスカード４２が取り付けられるものであり、ケース半体３０に、インデックスカード４２の副インデックス４２ｂを支持し、かつ副インデックス４２ｂが主インデックス４２ａに対して斜めに配置されるよう規定するインデックス支持部３５が設けられたものである。【選択図】  図１
2006335380.tif 000002
【特許請求の範囲】
【請求項１】
記録媒体ディスクを着脱自在に保持するディスクトレイと、該ディスクトレイを収容する、一端部同士が互いに連結され、開閉自在な一対のケース半体とを備えたディスク収納ケースにおいて、
少なくとも一方の前記ケース半体は、前記ディスクトレイに対向する板状本体と該板状本体に連設された側壁とを有し、前記板状本体に対向する主インデックスと前記側壁に対向する副インデックスとからなる折曲状のインデックスカードが取り付けられるものであり、該ケース半体に、前記インデックスカードの前記副インデックスを支持し、かつ該副インデックスが前記主インデックスに対して斜めに配置されるよう規定するインデックス支持部が設けられたことを特徴とするディスク収納ケース。
【請求項２】
前記インデックス支持部は、前記一方のケース半体の前記板状本体の内面及び／又は前記側壁の内面に突設され、前記副インデックスを支持し、かつ該副インデックスの前記主インデックスに対する傾斜角を規定する傾斜面を有するものであることを特徴とする請求項１に記載のディスク収納ケース。
【請求項３】
前記インデックス支持部は、前記板状本体の内面及び／又は前記側壁の内面に突設されたリブ状部材からなることを特徴とする請求項２に記載のディスク収納ケース。
【請求項４】
前記インデックス支持部は、前記板状本体及び／又は前記側壁の一部がエンボス状に突出成形された突出部からなることを特徴とする請求項２に記載のディスク収納ケース。
【請求項５】
前記副インデックスの前記主インデックスに対する傾斜角が９０°より大きいことを特徴とする請求項１〜４のいずれかに記載のディスク収納ケース。
【発明の詳細な説明】
【技術分野】
【０００１】
本発明は、ＣＤ、ＤＶＤ、ＢＤ等の記録媒体ディスクを収納するディスク収納ケースに係り、特にサイドインデックスの取付け構造に関するものである。
【背景技術】
【０００２】
ＣＤ（Compact Disc）、ＤＶＤ（Digital Versatile Disc）、ＢＤ（Blu-ray Disc）等の記録媒体ディスクを収納するディスク収納ケースとして、記録媒体ディスクを着脱自在に保持するディスクトレイと、このディスクトレイを収容する、一端部同士が互いに連結され、開閉自在な一対のケース半体とを有するものが広く用いられている（特許文献１）。
【０００３】
かかるディスク収納ケースでは一般に、上記一対のケース半体の内面に各々インデックスカードが取り付けられ、少なくとも一方のインデックスカードが収納ケースの側面まで及び、タイトル等を表示するサイドインデックスをなすよう構成される。サイドインデックスは、一対のケース半体の連結側及び／又はその反対側に設けられる。
【０００４】
１個のディスクトレイを備えたディスク収納ケースでは、従来１０ｍｍ厚が主流であったが、設置スペース、コスト、環境負荷低減等の点から、５ｍｍ厚や７ｍｍ厚等のより薄型のディスク収納ケースも使用されるようになっている。かかる薄型のディスク収納ケースでは、収納ケースの側面の幅が小さく、サイドインデックスを取り付けても充分な大きさでタイトル等を表示することが難しい。実際、５ｍｍ厚や７ｍｍ厚等の薄型ディスク収納ケースでサイドインデックスを設けたものは、実用化されていないのが現状である。
【０００５】
棚等に並べて収納した複数のディスク収納ケースから、使用者が目的のものを即座に選び出すことができ使用性に優れることから、薄型ディスク収納ケースにおいても、タイトル等を充分な大きさで表示したサイドインデックスを取り付けられることが好ましい。
【０００６】
かかる背景下、特許文献２には、収納ケースの連結側の側壁を斜めに配置することで、サイドインデックス面の幅を収納ケースの厚みより大きくして、サイドインデックス面を広く確保することが提案されている。
【特許文献１】特開平１０−１０６２０３号公報
【特許文献２】特開２００１−１０６２８１号公報
【発明の開示】
【発明が解決しようとする課題】
【０００７】
しかしながら、収納ケースの連結側の側壁を斜めに配置する特許文献２に記載のディスク収納ケースでは、一対のケース半体の連結側に鋭角部分（特許文献２の図２等参照）が形成されるので、この部分が破損しやすく、充分な強度が得られない。また、棚等に並べて収納した際には、斜めに配置された側壁が最前面に位置して使用者側に露出するため、美観性もよくない。
【０００８】
本発明はかかる事情に鑑みてなされたものであり、ディスク収納ケースの厚みに関わらず充分なサイドインデックス面が確保され、しかも強度及び美観性が良好なディスク収納ケースを提供することを目的とするものである。
【課題を解決するための手段】
【０００９】
本発明のディスク収納ケースは、記録媒体ディスクを着脱自在に保持するディスクトレイと、該ディスクトレイを収容する、一端部同士が互いに連結され、開閉自在な一対のケース半体とを備えたディスク収納ケースにおいて、
少なくとも一方の前記ケース半体は、前記ディスクトレイに対向する板状本体と該板状本体に連設された側壁とを有し、前記板状本体に対向する主インデックスと前記側壁に対向する副インデックスとからなる折曲状のインデックスカードが取り付けられるものであり、該ケース半体に、前記インデックスカードの前記副インデックスを支持し、かつ該副インデックスが前記主インデックスに対して斜めに配置されるよう規定するインデックス支持部が設けられたことを特徴とするものである。
【００１０】
本発明のディスク収納ケースにおいて、前記インデックス支持部は、前記一方のケース半体の前記板状本体の内面及び／又は前記側壁の内面に突設され、前記副インデックスを支持し、かつ該副インデックスの前記主インデックスに対する傾斜角を規定する傾斜面を有するものであることが好ましい。
【００１１】
前記インデックス支持部としては、前記板状本体の内面及び／又は前記側壁の内面に突設されたリブ状部材、若しくは前記板状本体及び／又は前記側壁の一部がエンボス状に突出成形された突出部が好ましい。
【００１２】
前記副インデックスの前記主インデックスに対する傾斜角は９０°より大きいことが好ましい。
【発明の効果】
【００１３】
本発明のディスク収納ケースは、少なくとも一方のケース半体が、ディスクトレイに対向する板状本体と板状本体に連設された側壁とを有し、板状本体に対向する主インデックスと側壁に対向する副インデックスとからなる折曲状のインデックスカードが取り付けられるものであり、該ケース半体に、インデックスカードの副インデックスを支持し、かつ副インデックスが主インデックスに対して斜めに配置されるよう規定するインデックス支持部が設けられたものである。
【００１４】
かかるディスク収納ケースでは、インデックス支持部の存在によって、サイドインデックスである副インデックスを主インデックスに対して斜めに配置することができ、その傾斜角も自由に設計できるので、サイドインデックスの幅を収納ケースの厚みより大きい所望の値とすることができる。したがって、本発明のディスク収納ケースでは、ディスク収納ケースの厚みに関わらず、５ｍｍ厚、７ｍｍ厚等の薄型収納ケースであっても、充分なサイドインデックス面が確保される。
【００１５】
また、本発明のディスク収納ケースでは、ケース半体の側壁を斜めにすることなく上記効果が得られるので、特許文献２に記載の収納ケースと異なり、外観上に鋭角部分が形成されず、強度及び美観性も良好である。
【発明を実施するための最良の形態】
【００１６】
（第１実施形態）
次に、図面を参照して、本発明に係る第１実施形態のディスク収納ケースについて説明する。本実施形態のディスク収納ケースは、ＣＤ（Compact Disc）、ＤＶＤ（Digital Versatile Disc）、ＢＤ（Blu-ray Disc）等の記録媒体ディスクを収納するケースである。本実施形態では、サイドインデックスの取付け構造が特徴的である。
【００１７】
図１は閉状態の分解斜視図である。図２（ａ）は表側から見た閉状態の斜視図、図２（ｂ）は裏側ケース半体のみを取り出して示す斜視図、図２（ｃ）は（ｂ）の部分拡大図である。図３は開状態の上面図、図４は図３の底面図である。図５（ａ）は図３の正面図（背面図は同様であるので、省略）、図５（ｂ）は図３のＡ−Ａ’断面図、図５（ｃ）は裏側ケース半体の部分拡大断面図（Ｂ−Ｂ’断面図）である。図６（ａ）は図３の左側面図、図６（ｂ）は図３の右側面図である。記録媒体ディスク及びインデックスカードについては、適宜図示を省略してある。
【００１８】
図１に示す如く、本実施形態のディスク収納ケース１は、記録媒体ディスク２を着脱自在に保持するディスクトレイ１０と、このディスクトレイ１０を収容する、開閉自在な表側ケース半体２０と裏側ケース半体３０とから概略構成されている。一対のケース半体２０、３０は、ディスクトレイ１０を介して互いに対向配置され、図示左奥端部（一端部）同士が互いに連結されている。また、一対のケース半体のうち、裏側ケース半体３０にディスクトレイ１０が着脱自在に嵌め込まれている。
【００１９】
ディスクトレイ１０とこれを収納するケース半体２０、３０は、いずれも平面視略矩形状であり、これらは同一又は非同一の樹脂からなり、色や模様は任意である。ただし、少なくともケース半体２０、３０については、インデックスの視認性を考慮すれば、透光性を有することが好ましい。
【００２０】
表側ケース半体２０は、ディスクトレイ１０と対向する板状本体２１と、表側インデックスカード４１の出入方向Ｘ（詳細については後記）に延在する一対の側壁２２とから概略構成され、一対の側壁２２はいずれも板状本体２１より幅広とされ、幅広部分が裏側ケース半体３０に連結される連結アーム２２ａとなっている。
【００２１】
裏側ケース半体３０は、ディスクトレイ１０と対向する板状本体３１と、上記側壁２２に平行な一対の側壁３２とから概略構成されている。ディスクトレイ１０に指を掛けて、裏側ケース半体３０からディスクトレイ１０を簡易に取り外すため、一対の側壁３２には各々、略中央部に切欠部３２ａが設けられている。
【００２２】
ケース半体２０、３０においては、表側ケース半体２０の側壁２２が、裏側ケース半体３０の側壁３２より外側に位置するよう、板状本体２１、３１の面積等が設計されており、図２（ａ）に示す如く、裏側ケース半体３０が表側ケース半体２０の中に嵌め込まれるようになっている。
【００２３】
表側ケース半体２０をなす一対の連結アーム２２ａの内側に各々突起２２ｂが突設され、裏側ケース半体３０をなす一対の側壁３２の外側に各々、突起２２ｂの先端部が入り込む凹部３２ｂが設けられており、一対の突起２２ｂを回動軸として、一対のケース半体２０、３０の一端部同士（図示左奥端部）が開閉自在に連結されている。この端部を「連結側端部」と称すと共に符号Ｅを付し、連結側と反対側の端部（図示右手前端部、他端部）に符号Ｆを付す（図２（ａ）参照）。
【００２４】
ディスクトレイ１０は、記録媒体ディスク２が嵌め込まれて収容される略円盤状のディスク収容凹部１１と、ディスク収容凹部１１の外側に延在する張出部１２とを有するトレイ本体１３を主として構成されている。ディスク収容凹部１１の中央部には、記録媒体ディスク２の中央開口部側を着脱自在に保持するディスククランパ１１ａが設けられている。
【００２５】
一対のケース半体２０、３０の連結側に位置する張出部１２からは、表側ケース半体２０の側に向かう側壁１４ａと、この側壁１４ａに連設され、張出部１２の面に平行な平坦部１４ｂとからなる断面視略Ｌ字状部１４が延設されている。平坦部１４ｂは、一対のケース半体２０、３０の閉状態時に、表側ケース半体２０の板状本体２１と面一に、一対の連結アーム２２ａの間に収まるようになっている。
【００２６】
表側ケース半体２０とディスクトレイ１０との間、及び裏側ケース半体３０とディスクトレイ１０との間には、各々、表側インデックスカード４１、裏側インデックスカード４２が介挿されている。インデックスカード４１、４２は、例えば、記録媒体ディスク２のタイトルや記録内容、写真、記録内容を書換え可能な欄等が印刷等されたものである。本実施形態において、裏側インデックスカード４２はタイトル等を表示するサイドインデックスを含むものである。
【００２７】
図３に示す如く、表側ケース半体２０をなす一対の側壁２２には各々、表側インデックスカード４１を掛止し保持する略半円状の掛止片２４が、板状本体２１の面に平行に３箇所ずつ突設されている。図１に示す如く、表側ケース半体２０の連結側端部Ｅとその反対側の端部Ｆはいずれも側壁がなく開口されており、表側インデックスカード４１は端部Ｅ、Ｆのいずれからも出入自在とされている。表側インデックスカード４１は好ましくは、端部Ｆ側から出入される（この場合の出入方向Ｘを図示してある）。ディスクトレイ１０の張出部１２には、掛止片２４が入り込む凹部１２ａが設けられている。
【００２８】
図１に示す如く、裏側ケース半体３０は、連結側端部Ｅとその反対側の端部Ｆに、各々側壁３３、３４を有するものである。裏側インデックスカード４２は、裏側ケース半体３０の板状本体３１に対向する主インデックス４２ａと側壁３３に対向する副インデックス４２ｂとからなる折曲状のインデックスカードである。本実施形態では、副インデックス４２ｂが収納ケース１の側面側から視認されるサイドインデックスである。
【００２９】
本実施形態においては、図１〜３及び図５に示す如く、裏側ケース半体３０に裏側インデックスカード４２の副インデックス４２ｂを支持し、かつ副インデックス４２ｂが主インデックス４２ａに対して斜めに配置されるよう規定するリブ状部材３５（インデックス支持部）が設けられている。
【００３０】
リブ状部材３５は、板状本体３１と側壁３３とがなす角部に、板状本体３１と側壁３３とに当接して取り付けられた部材である。すなわち、リブ状部材３５は、板状本体３１の内面及び側壁３３の内面に突設された部材である。リブ状部材３５は、副インデックス４２ｂを支持し、かつ副インデックス４２ｂの主インデックス４２ａに対する傾斜角αを規定する傾斜面３５ａを有する、略三角形状の板状部材である。リブ状部材３５は、側壁３３の両端部に計２個設けられている。リブ状部材３５の形成箇所や形成個数は、適宜設計できる。
【００３１】
本実施形態では、図５（ｃ）に示す如く、副インデックス４２ｂがリブ状部材３５の傾斜面３５ａに沿って配置されるので、副インデックス４２ｂが主インデックス４２ａに対して斜めに配置される。本実施形態では、リブ状部材３５の傾斜面３５ａの傾斜角を調整することで、副インデックス４２ｂの主インデックス４２ａに対する傾斜角αも自由に設計できる。本実施形態において、傾斜角αは鈍角（＞９０°）である。
【００３２】
本実施形態では、サイドインデックスである副インデックス４２ｂを主インデックス４２ａに対して斜めに配置することができ、その傾斜角αも自由に設計できるので、サイドインデックスの幅を収納ケース１の厚みより大きい所望の値とすることができる。
【００３３】
副インデックス４２ｂ（サイドインデックス）の幅は、副インデックス４２ｂの主インデックス４２ａに対する傾斜角αが９０°から外れる程、大きくなる。
【００３４】
寸法例を具体的に挙げる。例えば、キングジム社製「テプラ（登録商標）」によるＭ文字（約３．５ｍｍ高さ）の印字を考えた場合、サイドインデックス面のマージンを１ｍｍとして、最小限必要な副インデックス４２ｂの幅は約４．５ｍｍである。ケース厚５〜７ｍｍの薄型ケースの場合、例えばα＝９５〜１６５°とすることで、充分なサイドインデックス面が確保できる。
【００３５】
本実施形態では、副インデックス４２ｂの主インデックス４２ａに対する傾斜角αが鈍角（α＞９０°）であるので、インデックスカード４２の出入が容易であり、好ましい。ただし、傾斜角αは鋭角（＜９０°）でもよい。この場合も、サイドインデックス面は、傾斜角αが９０°から外れる程、大きくなる。例えば、図５（ｄ）に示す如く、略三角形状のリブ状部材３５の傾斜面３５ａが板状本体３１に対向するよう、リブ状部材３５を側壁３３に突設することで、傾斜角αを鋭角とすることができる。
【００３６】
本実施形態のディスク収納ケース１は以上のように構成されている。
【００３７】
本実施形態のディスク収納ケース１は、裏側ケース半体３０が、板状本体３１と板状本体３１に連設された側壁３３とを有し、板状本体３１に対向する主インデックス４２ａと側壁３３に対向する副インデックス４２ｂとからなる折曲状のインデックスカード４２が取り付けられるものであり、同ケース半体３０に、インデックスカード４２の副インデックス４２ｂを支持し、かつ副インデックス４２ｂが主インデックス４２ａに対して斜めに配置されるよう規定するリブ状部材３５（インデックス支持部）が設けられたものである。
【００３８】
かかるディスク収納ケース１では、リブ状部材３５の存在によって、サイドインデックスである副インデックス４２ｂを主インデックス４２ａに対して斜めに配置することができ、その傾斜角αも自由に設計できるので、収納ケース１の厚みに関わらず、５ｍｍ厚、７ｍｍ厚等の薄型収納ケースであっても、充分なサイドインデックス面が確保される。
【００３９】
本実施形態では、裏側ケース半体３０の側壁３３を斜めにすることなく上記効果が得られるので、特許文献２に記載の収納ケースと異なり、外観上に鋭角部分が形成されず、強度及び美観性も良好である。
【００４０】
本実施形態では、裏側ケース本体３０の板状本体３１及び側壁３３にリブ状部材３５を設ける構成としたが、板状本体３１及び／又は側壁３３にリブ状部材３５を設けることで、同様の効果が得られる。
【００４１】
（第２実施形態）
次に、図面を参照して、本発明に係る第２実施形態のディスク収納ケースについて説明する。図７（ａ）は第１実施形態の図２（ｃ）に対応する部分拡大斜視図、図７（ｂ）は第１実施形態の図５（ｃ）に対応する部分拡大断面図である。第１実施形態と同じ構成要素には同じ参照符号を付し、説明を省略する。
【００４２】
本実施形態のディスク収納ケース３の基本構成は第１実施形態と同様であるが、裏側インデックスカード４２の副インデックス４２ｂの支持構造が異なっている。具体的には、第１実施形態では、副インデックス４２ｂを支持するインデックス支持部として、裏側ケース半体３０にリブ状部材３５を設けたのに対し、図７に示す如く、本実施形態では、裏側ケース半体３０の板状本体３１の一部にエンボス状に突出成形された突出部３６を設ける構成としている。突出部３６は側壁３３に沿って延在形成され、副インデックス４２ｂを支持し、かつ副インデックス４２ｂの主インデックス４２ａに対する傾斜角αを規定する傾斜面３６ａを有している。突出部３６の形成長や形成個数は、適宜設計できる。
【００４３】
図７（ｂ）に示す如く、本実施形態においても、副インデックス４２ｂが突出部３６の傾斜面３６ａに沿って配置され、副インデックス４２ｂが主インデックス４２ａに対して斜めに配置される。本実施形態においても、突出部３６の傾斜面３６ａの傾斜角を調整することで、副インデックス４２ｂの主インデックス４２ａに対する傾斜角αを自由に設計できる。本実施形態においても、インデックスカード４２の出入容易性を考慮すれば、傾斜角αは鈍角（＞９０°）が好ましい。
【００４４】
本実施形態のディスク収納ケース３は以上のように構成されている。
【００４５】
本実施形態のディスク収納ケース３は、裏側ケース半体３０の板状本体３１に、インデックスカード４２の副インデックス４２ｂを支持し、かつ副インデックス４２ｂが主インデックス４２ａに対して斜めに配置されるよう規定するインデックス支持部であるエンボス状の突出部３６を設けたものである。
【００４６】
かかるディスク収納ケース３では、第１実施形態と同様、エンボス状の突出部３６の存在によって、サイドインデックスである副インデックス４２ｂを主インデックス４２ａに対して斜めに配置することができ、その傾斜角αも自由に設計できるので、収納ケース３の厚みに関わらず、５ｍｍ厚、７ｍｍ厚等の薄型収納ケースであっても、充分なサイドインデックス面が確保される。
【００４７】
本実施形態では、第１実施形態と同様、裏側ケース半体３０の側壁３３を斜めにすることなく上記効果が得られるので、特許文献２に記載の収納ケースと異なり、外観上に鋭角部分が形成されず、強度及び美観性も良好である。
【００４８】
本実施形態では、裏側ケース本体３０の板状本体３１にエンボス状の突出部３６を設ける場合について説明したが、板状本体３１及び／又は側壁３３にエンボス状の突出部３６を設けることで、同様の効果が得られる。
【００４９】
（設計変更例）
本発明は上記実施形態に限定されず、本発明の趣旨を逸脱しない範囲内において適宜設計変更可能である。
【００５０】
サイドインデックスである副インデックス４２ｂを支持するインデックス支持部として、リブ状部材３５又はエンボス状の突出部３６のみを挙げたが、インデックス支持部は副インデックス４２ｂを支持し、かつ副インデックス４２ｂが主インデックス４２ａに対して斜めに配置されるよう規定するものであればよく、構造は適宜設計変更可能である。
【００５１】
上記実施形態では、裏側ケース半体３０の連結側の側壁３３側にサイドインデックス（副インデックス４２ｂ）を取り付ける場合について説明したが、サイドインデックスを取り付ける側はその他の側壁３２、３４の側でもよく、サイドインデックスを複数の側に取り付けてもよい。
【００５２】
また、裏側ケース半体３０にサイドインデックスを取り付ける場合について説明したが、本発明は、一対のケース半体２０、３０のうち少なくとも一方がディスクトレイ１０に対向する板状本体と板状本体に連設された側壁とを有し、板状本体に対向する主インデックスと側壁に対向する副インデックスとからなる折曲状のインデックスカードが取り付けられるディスク収納ケースに適用可能である。
【００５３】
裏側ケース半体３０にのみディスクトレイ１０が嵌め込まれるタイプについてのみ言及したが、本発明は、一対のケース半体２０、３０のうち少なくとも一方にディスクトレイ１０が嵌め込まれるディスク収納ケースに適用可能である。
【産業上の利用可能性】
【００５４】
本発明は、ＣＤ、ＤＶＤ、ＢＤ等の記録媒体ディスクを収納するディスク収納ケースとして、好ましく利用できる。
【図面の簡単な説明】
【００５５】
【図１】本発明に係る第１実施形態のディスク収納ケースの閉状態の分解斜視図
【図２】（ａ）は図１のディスク収納ケースを表側から見た閉状態の斜視図、（ｂ）は裏側ケース半体のみを取り出して示す斜視図、（ｃ）は（ｂ）の部分拡大図
【図３】図１のディスク収納ケースの開状態の上面図
【図４】図３の底面図
【図５】（ａ）は図３の正面図、（ｂ）は図３のＡ−Ａ’断面図、（ｃ）は裏側ケース半体の部分拡大断面図、（ｄ）は設計変更例を示す断面図
【図６】（ａ）は図３の左側面図、（ｂ）は図３の右側面図
【図７】（ａ）は本発明に係る第２実施形態のディスク収納ケースの部分拡大斜視図、（ｂ）は裏側ケース半体の部分拡大断面図
【符号の説明】
【００５６】
１、３  ディスク収納ケース
２  記録媒体ディスク
１０  ディスクトレイ
２０、３０  ケース半体
２１、３１  板状本体
３３  連結側の側壁
３４  連結側と反対側の側壁
３５  リブ状部材（インデックス支持部）
３６  エンボス状の突出部（インデックス支持部）
３５ａ、３６ａ  傾斜面
４１、４２  インデックスカード
４２ａ  主インデックス
４２ｂ  副インデックス
Ｅ  連結側端部
Ｆ  連結側と反対側の端部
α  副インデックスの主インデックスに対する傾斜角
【図１】
2006335380.tif 000003
【図２】
2006335380.tif 000004
【図３】
2006335380.tif 000005
【図４】
2006335380.tif 000006
【図５】
2006335380.tif 000007
【図６】
2006335380.tif 000008
【図７】
2006335380.tif 000009